(57)【要約】【課題】エッジガイドを円滑にスライドさせることができるシート供給ガイド及び記録装置を提供する。【解決手段】シート案内部５１にスライド自在にエッジガイド５３，５４を有し、このエッジガイドの端部を、シート案内部５１の側縁５１Ａに沿って折り曲げて、当該シート案内部の裏面５１Ｂ側に延出させ、このシート案内部５１の裏面５１Ｂ側にはエッジガイド５３，５４のスライド方向に延びる第１、第２のリブを設け、シート案内部の裏面側に延出した折り曲げ部の内面には、第１のリブに案内される第１のガイド部を設け、折り曲げ部の端部には、第２のリブに案内される第２のガイド部を設けた。【選択図】      図３
2004331322.tif 000002
【特許請求の範囲】
【請求項１】
シート案内部にスライド自在にエッジガイドを有し、このエッジガイドの端部を、シート案内部の側縁に沿って折り曲げて、当該シート案内部の裏面側に延出させ、このシート案内部の裏面側にはエッジガイドのスライド方向に延びる第１、第２のリブを設け、前記シート案内部の裏面側に延出したエッジガイドの折り曲げ部には、第１、第２のリブに案内される第１、２のガイド部を設けたことを特徴とするシート供給ガイド。
【請求項２】
第１、第２のガイド部が、第１、第２のリブ間に挟まれて支持されることを特徴とする請求項１記載のシート供給ガイド。
【請求項３】
第１のガイド部をエッジガイドの折り曲げ部の内面に設け、第２のガイド部をエッジガイドの折り曲げ部の端部に設けたことを特徴とする請求項１又は２記載のシート供給ガイド。
【請求項４】
前記エッジガイドの折り曲げ部と反対側の端部が、前記シート案内部の側縁部に浮き上がり不能に連結されていることを特徴とする請求項１乃至３のいずれか一項記載のシート供給ガイド。
【請求項５】
前記エッジガイドの折り曲げ部に、第２のリブに当接するばね部材を設け、このばね部材に大きさの異なる一組の凸部を設け、これら凸部と対をなす凹部を、前記第２のリブに複数組み設けたことを特徴とする請求項１乃至４のいずれか一項記載のシート供給ガイド。
【請求項６】
シート案内部にスライド自在にエッジガイドを有し、前記シート案内部にはエッジガイドのスライド方向に延びるリブを設け、前記エッジガイドにはこのリブに当接するばね部材を設け、このばね部材には大きさの異なる一組の凸部を設け、これら凸部と対をなす凹部を、前記リブに複数組み設けたことを特徴とするシート供給ガイド。
【請求項７】
シート供給ガイドを有し、このシート供給ガイドに沿って挿入されたシートに、記録ヘッドを介して画像を記録する記録装置において、
前記シート供給ガイドのシート案内部にスライド自在にエッジガイドを設け、このエッジガイドの端部をシート案内部の側縁部に沿って折り曲げて、当該シート案内部の裏面側に延出させ、このシート案内部の裏面側にはエッジガイドのスライド方向に延びる第１、第２のリブを設け、前記シート案内部の裏面側に延出したエッジガイドの折り曲げ部には、第１、第２のリブに案内される第１、第２のガイド部を設けたことを特徴とする記録装置。
【請求項８】
第１、第２のガイド部が、第１、第２のリブ間に挟まれて支持されることを特徴とする請求項７記載の記録装置。
【請求項９】
第１のガイド部をエッジガイドの折り曲げ部の内面に設け、第２のガイド部をエッジガイドの折り曲げ部の端部に設けたことを特徴とする請求項７又は８記載の記録装置。
【請求項１０】
前記エッジガイドの折り曲げ部と反対側の端部が、前記シート案内部の側縁部に浮き上がり不能に連結されていることを特徴とする請求項７乃至９のいずれか一項記載の記録装置。
【請求項１１】
前記エッジガイドの折り曲げ部に、第２のリブに当接するばね部材を設け、このばね部材に大きさの異なる一組の凸部を設け、これら凸部と対をなす凹部を、前記第２のリブに複数組み設けたことを特徴とする請求項７乃至１０のいずれか一項記載の記録装置。
【請求項１２】
シート供給ガイドを有し、このシート供給ガイドに沿って挿入されたシートに、記録ヘッドを介して画像を記録する記録装置において、
前記シート供給ガイドのシート案内部にスライド自在にエッジガイドを有し、前記シート案内部にはエッジガイドのスライド方向に延びるリブを設け、前記エッジガイドにはこのリブに当接するばね部材を設け、このばね部材には大きさの異なる一組の凸部を設け、これら凸部と対をなす凹部を、前記リブに複数組み設けたことを特徴とする記録装置。
【発明の詳細な説明】
【０００１】
【発明の属する技術分野】
本発明は、シートを供給するシート供給ガイド及び記録装置に関する。
【０００２】
【従来の技術】
一般に、シート供給ガイドを有し、このシート供給ガイドに沿って挿入されたシートに、記録ヘッドを介して画像を記録する、例えば、ドットインパクトプリンタ等の記録装置が知られている。
【０００３】
この種のものでは、シート供給ガイドのシート案内部に、スライド自在に、シート幅を規制する一対のエッジガイドを備え、シート幅が大きい場合、エッジガイドをスライドさせて、一対のエッジガイド間の距離を大きくし、シート幅が小さい場合、エッジガイドをスライドさせて、一対のエッジガイド間の距離を小さくするものが提案されている（特許文献１）。
【０００４】
従来の構成では、上記エッジガイドの一端を、シート供給ガイドの一側縁に案内、支持すると共に、このエッジガイドの他端を、シート供給ガイドの他側縁に案内、支持することによって、このエッジガイドを、シート供給ガイドのシート案内部にスライド自在に保持している。
【０００５】
【特許文献１】
特開２００１−３２８３２９号公報
【０００６】
【発明が解決しようとする課題】
しかし、従来の構成では、エッジガイドとシート供給ガイドとの案内、支持部が、それぞれシート供給ガイドの両側縁に配置されるため、当該案内、支持部間の距離が、当該シート供給ガイドの奥行き寸法とほぼ等しくなり、この距離が長くなるため、エッジガイドをスライドさせるに際し、スライド力の加減により、例えば、エッジガイドが湾曲し、当該エッジガイドを円滑にスライドさせることができなくなるという問題がある。
【０００７】
また、この種のものでは、エッジガイドをシート案内部の所定の位置に位置決めするため、エッジガイドとシート供給ガイドとの案内、支持部に、複数の凹凸の嵌合部を設けるのが一般的である。
【０００８】
しかし、上記の構成では、例えば、一つの位置決め位置から、別の位置決め位置に、当該エッジガイドをスライドさせる場合、複数の凹凸の嵌合部を乗り越えるため、その都度抵抗がかかり、エッジガイドを円滑にスライドさせることができないという問題がある。
【０００９】
そこで、本発明は、上述した事情に鑑みてなされたものであり、エッジガイドを円滑にスライドさせることができるシート供給ガイド及び記録装置を提供することを目的とする。
【００１０】
【課題を解決するための手段】
請求項１記載の発明は、シート案内部にスライド自在にエッジガイドを有し、このエッジガイドの端部を、シート案内部の側縁に沿って折り曲げて、当該シート案内部の裏面側に延出させ、このシート案内部の裏面側にはエッジガイドのスライド方向に延びる第１、第２のリブを設け、前記シート案内部の裏面側に延出したエッジガイドの折り曲げ部には、第１、第２のリブに案内される第１、第２のガイド部を設けたことを特徴とする。
【００１１】
請求項２記載の発明は、請求項１記載のものにおいて、第１、第２のガイド部が、第１、第２のリブ間に挟まれて支持されることを特徴とする。
【００１２】
請求項３記載の発明は、請求項１又は２記載のものにおいて、第１のガイド部をエッジガイドの折り曲げ部の内面に設け、第２のガイド部をエッジガイドの折り曲げ部の端部に設けたことを特徴とする。
【００１３】
請求項４記載の発明は、請求項１乃至３のいずれか一項記載のものにおいて、前記エッジガイドの折り曲げ部と反対側の端部が、前記シート案内部の側縁部に浮き上がり不能に連結されていることを特徴とする。
【００１４】
請求項５記載の発明は、請求項１乃至４のいずれか一項記載のものにおいて、前記エッジガイドの折り曲げ部に、第２のリブに当接するばね部材を設け、このばね部材に大きさの異なる一組の凸部を設け、これら凸部と対をなす凹部を、前記第２のリブに複数組み設けたことを特徴とする。
【００１５】
請求項６記載の発明は、シート案内部にスライド自在にエッジガイドを有し、前記シート案内部にはエッジガイドのスライド方向に延びるリブを設け、前記エッジガイドにはこのリブに当接するばね部材を設け、このばね部材には大きさの異なる一組の凸部を設け、これら凸部と対をなす凹部を、前記リブに複数組み設けたことを特徴とする。
【００１６】
請求項７記載の発明は、シート供給ガイドを有し、このシート供給ガイドに沿って挿入されたシートに、記録ヘッドを介して画像を記録する記録装置において、前記シート供給ガイドのシート案内部にスライド自在にエッジガイドを設け、このエッジガイドの端部をシート案内部の側縁部に沿って折り曲げて、当該シート案内部の裏面側に延出させ、このシート案内部の裏面側にはエッジガイドのスライド方向に延びる第１、第２のリブを設け、前記シート案内部の裏面側に延出したエッジガイドの折り曲げ部には、第１、第２のリブに案内される第１、第２のガイド部を設けたことを特徴とする。
【００１７】
請求項８記載の発明は、請求項７記載のものにおいて、第１、第２のガイド部が、第１、第２のリブ間に挟まれて支持されることを特徴とする。
【００１８】
請求項９記載の発明は、請求項７又は８記載のものにおいて、第１のガイド部をエッジガイドの折り曲げ部の内面に設け、第２のガイド部をエッジガイドの折り曲げ部の端部に設けたことを特徴とする。
【００１９】
請求項１０記載の発明は、請求項７乃至９のいずれか一項記載のものにおいて、前記エッジガイドの折り曲げ部と反対側の端部が、前記シート案内部の側縁部に浮き上がり不能に連結されていることを特徴とする。
【００２０】
請求項１１記載の発明は、請求項７乃至１０のいずれか一項記載のものにおいて、前記エッジガイドの折り曲げ部に、第２のリブに当接するばね部材を設け、このばね部材に大きさの異なる一組の凸部を設け、これら凸部と対をなす凹部を、前記第２のリブに複数組み設けたことを特徴とする。
【００２１】
請求項１２記載の発明は、シート供給ガイドを有し、このシート供給ガイドに沿って挿入されたシートに、記録ヘッドを介して画像を記録する記録装置において、前記シート供給ガイドのシート案内部にスライド自在にエッジガイドを有し、前記シート案内部にはエッジガイドのスライド方向に延びるリブを設け、前記エッジガイドにはこのリブに当接するばね部材を設け、このばね部材には大きさの異なる一組の凸部を設け、これら凸部と対をなす凹部を、前記リブに複数組み設けたことを特徴とする。
【００２２】
【発明の実施の形態】
以下、本発明の一実施形態について図面を参照して説明する。
【００２３】
図１に示すドットインパクトプリンタ１０は、記録ヘッド２０が備える記録ワイヤを、インクリボンを介してシートに押し付け、シート上にドットを形成することにより、文字を含む画像を記録するものである。ここで、シートとしては、所定長さに切断されたカットシートと、複数枚が連接された連続シートとがある。カットシートとしては、例えば単票紙や単票複写紙などの普通紙の他、通帳や葉書、封筒などがあり、連続シートとしては連続シートとしては連続紙、連続複写紙がある。
【００２４】
ドットインパクトプリンタ１０は、大別すると、プリンタ本体１１と、プッシュトラクタユニット１２と、シート供給ガイド１３と、給紙装置（ＣＳＦ：カットシートフィーダ）１４と、プリンタ本体１１の上方、下方をそれぞれ覆うアッパケース１５およびロアケース１６とを備えている。
【００２５】
プリンタ本体１１は、記録ヘッド２０およびキャリッジ２１からなる記録機構部と、シート案内２４、プラテン２５および各種ローラ２６〜２９からなるシート搬送機構部とから概略構成されている。
【００２６】
プリンタ本体１１は、本体フレームとしてのベースフレーム４０およびリアフレーム４１の略両端に、左サイドフレーム４２および右サイドフレーム（不図示）がそれぞれ立設して固定されている。この左サイドフレーム４２と右サイドフレームの間には、キャリッジガイド軸４３およびプラテン２５が回転可能に支持され、また、シートを案内するシート案内２４が支持されている。
【００２７】
また、キャリッジガイド軸４３には、記録ヘッド２０を搭載したキャリッジ２１が、その軸方向に移動可能に支持されている。
【００２８】
キャリッジ２１は、図示しないキャリッジ駆動用モータによりタイミングベルトを介してキャリッジガイド軸４３の軸方向に駆動される。これにより、記録ヘッド２０は、キャリッジガイド軸４３の軸方向と一致する主走査方向に駆動される。また、キャリッジ２１には、インクリボンカセット４４が着脱自在に装着される。インクリボンカセット４４のインクリボンは、記録ヘッド２０とプラテン２５との間に引き回される。
【００２９】
記録ヘッド２０は、多数の記録ワイヤ（不図示）を備え、これらの記録ワイヤの突出方向前方に、インクリボンが位置する。記録ヘッド２０は、キャリッジ２１と共に主走査方向に走行される間に、記録ワイヤを突出させてインクリボンに打ち当て、このインクリボンのインクを、プラテン２５と記録ヘッド２０との間に搬送されるシート（カットシート又は連続シート）に付着させて、このシートに文字を含む画像を記録する。
【００３０】
また、プリンタ本体１１には、プラテン２５に押圧される従動ローラ２６，２７と、フロント或いはボトムから供給されるシートを搬送する駆動ローラ２８および従動ローラ２９とが配置されている。
【００３１】
プッシュトラクタユニット１２は、連続シートをシート案内２４に供給するものであり、左右一対のトラクタ４６を有している。トラクタ４６は、トラクタ駆動プーリ４５と、トラクタ従動プーリ４７と、これらプーリ４５、４７に架け渡されたトラクタベルト４８とから構成される。トラクタ駆動プーリ４５の軸は、シート搬送モータのモータピニオンと噛み合う歯車輪列に噛み合っており、これにより、シート搬送モータが回転すると、トラクタ駆動プーリ４５が回転し、トラクタベルト４８によって連続シートがシート案内２４に供給される。
【００３２】
給紙装置１４は、プリンタ本体１１の後方側に着脱可能に装着され、カットシートを１枚ずつ給紙するものである。
【００３３】
シート供給ガイド１３は、プリンタ本体１１の前側において、アッパケース１５に着脱自在に装着され、シートを案内する。このシート供給ガイド１３は、プリンタ本体１１の前方からカットシートを手差し給紙する手差しトレイとして機能すると共に、プリンタ本体１１の後方から給紙されたシート（カットシート及び連続シート）の排紙トレイとしても機能する。
【００３４】
図２及び図３は、シート供給ガイド１３を示す。このシート供給ガイド１３は、その本体を構成するシート案内部５１と、このシート案内部５１にスライド自在に設けられた、その構成がほぼ等しい一対のエッジガイド５３、５４とを備えて構成される。一対のエッジガイド５３、５４の一端５３Ａ、５４Ａには、折り曲げ部５３Ｂ、５４Ｂが形成され、この折り曲げ部５３Ｂ、５４Ｂは、一端５３Ａ、５４Ａを、シート案内部５１の側縁５１Ａに沿って、ほぼＵ字状に折り曲げて、シート案内部５１の裏面５１Ｂ側に延出させることにより形成される。また、一対のエッジガイド５３、５４の他端５３Ｃ、５４Ｃには、係止部５３Ｄ、５４Ｄが形成され、この係止部５３Ｄ、５４Ｄは、シート案内部５１の側縁５１Ｃに浮き上がり不能に連結されている。
【００３５】
このシート供給ガイド１３は、上述したように、カットシートを手差し給紙する手差しトレイとして機能し、この場合、シートは、一対のエッジガイド５３、５４の規制部５３Ｅ、５４Ｅによってシート幅が規制され、押さえ部５３Ｆ、５４Ｆにより上方位置が規制されている。
【００３６】
図４乃至図６は、シート供給ガイド１３を裏面５１Ｂ側から見た図である。シート案内部５１の裏面５１Ｂには、図６に示すように、エッジガイド５３、５４のスライド方向（矢印Ｘ方向）に延びる第１のリブ６１と、この第１のリブ６１と平行に延びる第２のリブ６３とが一体的に形成される。この第１のリブ６１の高さは低く形成され、エッジガイド５３、５４が、シート案内部５１に取り付けられた場合、第１のリブ６１は、図８に示すように、ほぼＵ字状に折り曲げられた、折り曲げ部５３Ｂ、５４Ｂの内側に延在し、第２のリブ６３は、エッジガイド５３、５４が、シート案内部５１に取り付けられた場合、折り曲げ部５３Ｂ、５４Ｂの外側に延在する。
【００３７】
図７は、一方のエッジガイド５３を裏から見た図である。他方のエッジガイド５４は同じ構成であり、説明は省略する。このエッジガイド５３の折り曲げ部５３Ｂには、第１のリブ６１に当接し、案内される第１のガイド部７１と、第２のリブ６３に当接し、案内される第２のガイド部７３とが形成される。第１のガイド部７１は、図８に示すように、折り曲げ部５３Ｂの内側に突出し、この内側で、第１のリブ６１に案内される。
【００３８】
上記の構成では、第１、第２のガイド部７１，７３が、第１、第２のリブ６１，６３間に挟まれて支持されている。これによれば、第１、第２のリブ６１，６３間に、第１、第２のガイド部７１，７３が挟持された状態で、上述したエッジガイド５３がスライドするため、スライドが円滑になるだけでなく、スライド時のエッジガイド５３の脱落が防止される。
【００３９】
第２のガイド部７３は、図７に示すように、中央部７３Ｂが凹んだほぼコ字状に形成され、この凹んだ中央部７３Ｂには、薄肉部７４を介して、平板状のばね部材７５が一体形成されている。
【００４０】
このばね部材７５には、大きさの異なる一組の凸部７７，７９が形成され、エッジガイド５３、５４が、シート案内部５１に取り付けられた場合、一組の凸部７７，７９の先端が、第２のリブ６３に当接する。
【００４１】
第２のリブ６３には、図６に示すように、一組の凸部７７，７９と対をなす凹部８１，８３が複数組み形成されている。すなわち、第２のリブ６３には、大きい方の凸部７７が嵌まる大きい凹部８１と、小さい方の凸部７９が嵌まる小さい凹部８３とが交互に形成されている。図７に示す一組の凸部７７，７９間の寸法Ｌと、図６に示す一組の凹部８１，８３間の寸法Ｌとが等しく、一組の凸部７７，７９と、これと対をなす一組の凹部８１，８３とがほぼ完全に対向しない限り、凹凸が嵌合しないように構成される。
【００４２】
図７に示すように、一組の凸部７７，７９の先端は、第２のガイド部７３の先端７３Ａよりもわずかに突出する。この構成では、凸部７７，７９と凹部８１，８３とが嵌合しない限り、一組の凸部７７，７９の先端が、第２のリブ６３の凹部８１，８３以外の部分に当接することにより、平板状のばね部材７５が湾曲する。この場合、第２のリブ６３で凸部７７，７９が押し退けられる方向に、平板状のばね部材７５が湾曲する。
【００４３】
本実施形態では、シート案内部５１の裏面５１Ｂに、エッジガイドのスライド方向に延びる第１、第２のリブ６１，６３を設け、エッジガイドの折り曲げ部５３Ｂに、第１、第２のリブ６１，６３に案内される第１、第２のガイド部７１，７３とを設けたため、折り曲げ部５３Ｂの範囲内にいわゆる案内部が形成され、これら案内部間の距離が短くなる。
【００４４】
従って、シート案内部５１の両側縁に案内部を設けた従来の構成と比べて、エッジガイド５３，５４をスライドさせるに際し、スライド力の加減により、例えば、エッジガイドが湾曲するようなことがなく、当該エッジガイドのスライド性を向上させることができる。
【００４５】
また、上記構成では、一組の凸部７７，７９と、これと対をなす一組の凹部８１，８３とがほぼ完全に対向しない限り、凹凸が嵌合しないように構成されるため、例えば、一つの位置決め位置から、別の位置決め位置に、当該エッジガイド５３，５４をスライドさせる場合、次の凹凸完全対向の位置に到達するまで、一々、凹凸嵌合が行われることがなく、従来のように、複数の凹凸の嵌合部を乗り越える都度、抵抗がかかるといった問題が解消され、エッジガイド５３，５４を円滑にスライドさせることができる。
【００４６】
上記構成では、凸部７７，７９と凹部８１，８３とが嵌合しない限り、一組の凸部７７，７９の先端が、第２のリブ６３の凹部８１，８３以外の部分に当接することにより、平板状のばね部材７５が湾曲し、この際に発生する湾曲復元力により、エッジガイド５３，５４の位置が保持される。従って、エッジガイドを任意の位置に固定することができる。
【００４７】
以上、一実施形態に基づいて本発明を説明したが、本発明は、これに限定されるものではない。例えば、上記実施形態では、凸部７７，７９の大小を、凸部７７，７９の径ではなく、その長さで変化させているが、これに限定されず、対をなす組み同士に限って嵌合し、それ以外が嵌合しない構成であれば、どのような大小構成であってもよい。
【００４８】
【発明の効果】
本発明では、シート案内部にスライド自在にエッジガイドを有したものにおいて、エッジガイドを円滑にスライドさせることができる。
【図面の簡単な説明】
【図１】本発明の一実施形態を示す斜視図である。
【図２】シート供給ガイドの構成を示す斜視図である。
【図３】シート供給ガイドの構成を示す分解斜視図である。
【図４】シート供給ガイドを裏面側から見た斜視図である。
【図５】シート供給ガイドを裏面側から見た分解斜視図である。
【図６】シート供給ガイドを裏面側から見た斜視図である。
【図７】エッジガイドを裏面側から見た斜視図である。
【図８】シート供給ガイドの断面図である。
【符号の説明】
１０  ドットインパクトプリンタ（記録装置）
１３  シート供給ガイド
５１  シート案内部
５１Ｂ  裏面
５３、５４  エッジガイド
５３Ｂ、５４Ｂ  折り曲げ部
５３Ｄ、５４Ｄ  係止部
６１  第１、のリブ
６３  第２のリブ
７１  第１、のガイド部
７３  第２のガイド部
７５  ばね部材
７７，７９  凸部
８１，８３  凹部
【図１】
2004331322.tif 000003
【図２】
2004331322.tif 000004
【図３】
2004331322.tif 000005
【図４】
2004331322.tif 000006
【図５】
2004331322.tif 000007
【図６】
2004331322.tif 000008
【図７】
2004331322.tif 000009
【図８】
2004331322.tif 000010